(57)【特許請求の範囲】
【請求項１】
平板状の圧電セラミック層と、前記圧電セラミック層の片面側に積層されている、前記圧電セラミック層を、その面内で、複数の活性領域に区画する複数の個別電極と、前記圧電セラミック層の反対面側に積層されている、前記複数の活性領域を包含する大きさを有する共通電極とを備える圧電アクチュエータの、前記活性領域に対応する圧電変形領域を、前記両電極間に電圧を印加して、個別に駆動させるための駆動方法であって、前記複数の個別電極のうち、任意の個別電極を選択的にグランドと同電位になるように接続すると共に、その他の個別電極を前記共通電極と同電位になるように接続して、前記共通電極に電圧を印加することで、前記グランドに接続した個別電極に対応する前記圧電変形領域を、前記個別電極と前記共通電極との間の電位差によって、選択的に駆動させることを特徴とする圧電アクチュエータの駆動方法。
【請求項２】
平板状の圧電セラミック層と、前記圧電セラミック層の片面側に積層されている、前記圧電セラミック層を、その面内で、複数の活性領域に区画する複数の個別電極と、前記圧電セラミック層の反対面側に積層されている、前記複数の活性領域を包含する大きさを有する共通電極とを備える圧電アクチュエータと、前記圧電アクチュエータの、前記複数の個別電極のうち、任意の個別電極を選択的にグランドと同電位になるように接続すると共に、その他の個別電極を前記共通電極と同電位になるように接続して、前記共通電極に電圧を印加することで、前記グランドに接続した個別電極に対応する前記圧電変形領域を、前記個別電極と前記共通電極との間の電位差によって、選択的に駆動させる駆動回路とを備えることを特徴とする圧電アクチュエータユニット。
【発明の詳細な説明】
【技術分野】
【０００１】
本発明は、圧電アクチュエータの新規な駆動方法と、前記駆動方法を実施するための圧電アクチュエータユニットとに関するものである。
【背景技術】
【０００２】
インクジェットプリンタのヘッド等の駆動源として、圧電セラミックの電歪特性を利用した圧電アクチュエータが用いられる。また、圧電アクチュエータとしては、厚み方向に電圧が印加された際に、前記厚み方向と直交する面方向に伸縮する、横振動モードの圧電セラミック層を含む、平板状のものが知られている。
【０００３】
さらに、インクジェットプリンタのヘッドに組み込まれる、平板状の圧電アクチュエータとしては、前記横振動モードの圧電セラミック層と、前記圧電セラミック層の片面側に積層され、圧電セラミック層を、その面内で、ヘッドの、複数のノズルに対応した複数の活性領域に区画する複数の個別電極と、圧電セラミック層の反対面側に積層され、前記複数の活性領域を包含する大きさを有する共通電極と、圧電セラミック層のいずれかの面側に積層されて、圧電セラミック層の、面方向の伸縮を規制するための振動板とを備えるものが知られている。
【０００４】
前記構造を有する圧電アクチュエータは、圧電セラミック層を厚み方向に分極させた状態で使用され、前記圧電セラミック層の、任意の活性領域に、対応する個別電極と、共通電極とから、前記分極方向と同方向（「順方向」とする）の電圧を印加すると、前記活性領域が、面方向に収縮する。しかし、圧電セラミック層の片面側には、先に説明したように、振動板が固定されて、面方向の伸縮が規制されていることから、圧電アクチュエータの、前記活性領域に対応する圧電変形領域は、前記振動板を積層した面を厚み方向に突出させるように撓み変形する。
【０００５】
一方、圧電セラミック層の任意の活性領域に、対応する個別電極と、共通電極とから、分極方向と逆方向の電圧を印加すると、前記活性領域が、面方向に伸長することから、圧電アクチュエータの、前記活性領域に対応する圧電変形領域は、逆に、振動板を積層した面と反対面を、厚み方向に突出させるように撓み変形する。さらに、電圧の印加を停止すると、圧電セラミック層の活性領域の、面方向の伸縮が解除されることから、圧電アクチュエータの、前記活性領域に対応する圧電変形領域は、撓み変形が解除された、元の平板状の状態に復帰する。
【０００６】
例えば、インクジェットプリンタのヘッドにおいては、圧電セラミック層の活性領域に、順方向の電圧の印加と停止とを繰り返す駆動電圧波形や、順方向と逆方向の電圧を交互に印加する駆動電圧波形等を有する電圧を印加して、前記活性領域を面方向に伸縮させて、圧電アクチュエータの圧電変形領域を、厚み方向に振動させることで、インクを振動させて、ヘッドに設けたノズルから、微小なインク滴として吐出させている。ノズルから吐出されたインク滴は、ノズルと対向させて配設された紙面まで飛翔し、紙面に到達して、前記紙面にドットを形成する。
【０００７】
ところが、従来の圧電アクチュエータは、電圧を印加して圧電変形領域を駆動（振動）させる操作を繰り返すことで、前記圧電変形領域の、厚み方向の撓み変形の変位量が、経時的に、大きく低下し、それに伴って、インクジェットプリンタの場合は、ノズルから吐出されるインク滴の体積や飛翔速度が低下するため、紙面に形成される画像の画質が低下するという問題がある。
【０００８】
前記問題が生じる原因としては、圧電変形領域の駆動を繰り返した際に、前記圧電変形領域に対応する、圧電セラミック層の活性領域に、電荷が蓄積されることが考えられる。すなわち、前記活性領域に印加される、先に説明した駆動電圧波形を有する電圧は、通常、パルス幅が数１０μｓｅｃオーダーの高速パルス信号であり、通常の駆動では、順方向の電圧の印加によって、活性領域に充電された電荷が、電圧の印加を停止するか、または、逆方向の電圧を印加することで放電されるのであるが、前記放電が完了しきらない間に、次の、順方向の電圧が印加されることになるため、駆動を繰り返すことで、活性領域に、徐々に、電荷が蓄積されるのである。
【０００９】
そして、蓄積された電荷は、圧電セラミック層の分極方向に対して、逆バイアスとして働くため、電荷が蓄積されるほど、活性領域の分極量が低下する結果、前記活性領域に対応する圧電アクチュエータの圧電変形領域の、厚み方向の撓み変形の変位量が、経時的に、大きく低下するのである。しかも、前記傾向は、例えば、特許文献１に記載されているように、インクジェットプリンタの印刷速度を向上するために、駆動電圧波形のパルス幅を短くするほど顕著になる。
【特許文献１】特開２００４−１３６６６６号公報
【発明の開示】
【発明が解決しようとする課題】
【００１０】
本発明の目的は、圧電アクチュエータの圧電変形領域の、厚み方向の撓み変形の変位量が、経時的に、大きく低下するのを防止して、長期間に亘って、十分な変位量を維持することができる圧電アクチュエータの駆動方法と、前記駆動方法を実施するための圧電アクチュエータユニットとを提供することにある。
【課題を解決するための手段】
【００１１】
本発明は、平板状の圧電セラミック層と、前記圧電セラミック層の片面側に積層されている、前記圧電セラミック層を、その面内で、複数の活性領域に区画する複数の個別電極と、前記圧電セラミック層の反対面側に積層されている、前記複数の活性領域を包含する大きさを有する共通電極とを備える圧電アクチュエータの、前記活性領域に対応する圧電変形領域を、前記両電極間に電圧を印加して、個別に駆動させるための駆動方法であって、前記複数の個別電極のうち、任意の個別電極を選択的にグランドと同電位になるように接続すると共に、その他の個別電極を前記共通電極と同電位になるように接続して、前記共通電極に電圧を印加することで、前記グランドに接続した個別電極に対応する前記圧電変形領域を、前記個別電極と前記共通電極との間の電位差によって、選択的に駆動させることを特徴とする圧電アクチュエータの駆動方法である。
【００１２】
また、本発明は、平板状の圧電セラミック層と、前記圧電セラミック層の片面側に積層されている、前記圧電セラミック層を、その面内で、複数の活性領域に区画する複数の個別電極と、前記圧電セラミック層の反対面側に積層されている、前記複数の活性領域を包含する大きさを有する共通電極とを備える圧電アクチュエータと、前記圧電アクチュエータの、前記複数の個別電極のうち、任意の個別電極を選択的にグランドと同電位になるように接続すると共に、その他の個別電極を前記共通電極と同電位になるように接続して、前記共通電極に電圧を印加することで、前記グランドに接続した個別電極に対応する前記圧電変形領域を、前記個別電極と前記共通電極との間の電位差によって、選択的に駆動させる駆動回路とを備えることを特徴とする圧電アクチュエータユニットである。
【００１３】
従来の圧電アクチュエータにおいては、圧電セラミック層上の任意の活性領域に、選択的に、所定の駆動電圧波形を有する電圧を印加して、前記活性領域に対応する、圧電アクチュエータの圧電変形領域を、選択的に撓み変形させるため、共通電極をグランドと同電位になるように接続すると共に、前記電圧を、複数の個別電極に、個別に印加していた。ところが、個別電極は、近年の、インクジェットプリンタの高画質化の要求に対応するため、１つのヘッド上に設けられるノズルの数が増加されると共に、その形成間隔が微小化されるのに伴って、微小面積化される傾向にあるため、活性領域の電荷を、短時間で、速やかに放電することができないのである。
【００１４】
これに対し、本発明によれば、従来とは逆に、駆動させる圧電変形領域に対応した個別電極を、選択的にグランドと同電位になるように接続すると共に、複数の活性領域を包含する大きさを有する大きな共通電極に、所定の駆動電圧波形を有する電圧を印加することで、両電極間の電位差によって、前記圧電変形領域を、選択的に駆動させているため、順方向の電圧の印加によって、活性領域に充電された電荷を、次の、順方向の電圧が印加されるまでの間の、電圧の印加を停止するか、または、逆方向の電圧を印加した状態において、より速やかに放電させることができ、活性領域に電荷が蓄積されるのを抑制することができる。
【００１５】
そのため、本発明によれば、圧電アクチュエータの圧電変形領域の、厚み方向の撓み変形の変位量が、経時的に、大きく低下するのを防止して、長期間に亘って、十分な変位量を維持することが可能となる。また、本発明では、グランドに接続しない個別電極を、共通電極に接続することで、前記個別電極に対応する圧電変形領域が誤動作するのを、確実に防止することもできる。
【発明の効果】
【００１６】
本発明によれば、圧電アクチュエータの圧電変形領域の、厚み方向の撓み変形の変位量が、経時的に、大きく低下するのを防止して、長期間に亘って、十分な変位量を維持することができる圧電アクチュエータの駆動方法と、前記駆動方法を実施するための圧電アクチュエータユニットとを提供することができる。
【発明を実施するための最良の形態】
【００１７】
図１は、本発明の圧電アクチュエータユニット１の一例を、インクジェットプリンタのヘッドに、駆動源として組み込んだ例を示す断面図である。図１を参照して、この例のヘッドは、図において上面に、インクが充てんされる圧力室２が、面方向に複数個、配列させて形成され、下面に、各圧力室２に対応させて、インク滴を吐出させるためのノズル３が、複数個、形成されていると共に、各圧力室２とノズル３とが、それぞれ、個別に、インクが充てんされる連通路４によって繋がれた基板５と、前記基板５の、圧力室２を形成した上面に積層された、圧電アクチュエータユニット１を構成する圧電アクチュエータ６とを備えている。
【００１８】
圧電アクチュエータ６は、複数の圧力室２を覆う大きさを有する薄板状に形成された圧電セラミック層７と、前記圧電セラミック層７の、図において上面に、圧力室２ごとに個別に形成された個別電極８と、圧電セラミック層７の下面に、順に積層された、共に、複数の圧力室２を覆う大きさを有する、共通電極９と振動板１０とを備えた、いわゆるユニモルフ型の構成を有している。
【００１９】
前記ユニモルフ型の圧電アクチュエータ６は、個々の圧力室２に対応して配設された複数の圧電変形領域１１と、前記圧電変形領域１１を囲んで配設され、基板５に固定されることで変形が防止された拘束領域１２とに区画されている。また、各個別電極８と、共通電極９とは、それぞれ個別に、圧電アクチュエータユニット１を構成する駆動回路１３に接続されており、駆動回路１３は、インクジェットプリンタの制御ユニット１４に接続されている。
【００２０】
前記各部のうち、基板５は、例えば、圧力室２、連通路４、およびノズル３となる通孔が形成された複数枚の板材を、順に、位置合わせしながら積層し、一体化させて形成することができる。各板材としては、それぞれ、金属やセラミック、樹脂等によって、厚みが一定な平板状に形成されていると共に、例えば、フォトリソグラフ法を利用したエッチング等によって、前記各部となる、所定の平面形状を有する通孔が、所定の位置に形成されたものを用いることができる。板材を金属で形成する場合、前記金属としては、Ｆｅ−Ｃｒ系合金、Ｆｅ−Ｎｉ系合金、ＷＣ−ＴｉＣ系合金等が挙げられ、特に、インクに対する耐食性と、加工性とを考慮すると、Ｆｅ−Ｃｒ系合金が好ましい。
【００２１】
圧電セラミック層７は、例えば、ジルコン酸チタン酸鉛（ＰＺＴ）や、前記ＰＺＴに、ランタン、バリウム、ニオブ、亜鉛、ニッケル、マンガン等の酸化物の１種または２種以上を添加した、ＰＬＺＴ等の、ＰＺＴ系の圧電セラミックによって、薄板状に形成することができる。また、圧電セラミック層７は、マグネシウムニオブ酸鉛（ＰＭＮ）、ニッケルニオブ酸鉛（ＰＮＮ）、亜鉛ニオブ酸鉛、マンガンニオブ酸鉛、アンチモンスズ酸鉛、チタン酸鉛、チタン酸バリウム等を主成分とする圧電セラミックによって形成することもできる。さらに、ビスマス層状化合物、タングステンブロンズ構造物、ニオブ酸アルカリやチタン酸バリウム等のペロブスカイト型化合物等の、いわゆる非鉛系の材料によって形成することもできる。
【００２２】
振動板１０は、例えば、モリブデン、タングステン、タンタル、チタン、白金、鉄、ニッケル等の金属や、前記金属の合金、あるいはステンレス鋼等によって、所定の厚みを有する板状に形成することができる他、圧電セラミック層７と同じ圧電セラミックによって形成することもできる。また、振動板１０を、金、銀、白金、銅、アルミニウム等の、導電性に優れた金属によって形成して、共通電極９を省略することもできる。
【００２３】
個別電極８、および共通電極９は、それぞれ、金、銀、白金、銅、アルミニウム等の、導電性に優れた金属からなる箔、めっき被膜、真空蒸着被膜等によって形成することができる他、前記各金属の微粒子を含む導電性ペーストを塗布し、乾燥させた後、さらに必要に応じて焼成して形成することもできる。
【００２４】
個別電極８をパターン形成するためには、例えば、めっき被膜や真空蒸着被膜の場合、圧電セラミック層７の表面の、個別電極８を形成する領域のみを、選択的に露出させ、それ以外の領域を、めっきマスクで被覆した状態で、露出させた領域に、選択的に、被膜を成膜する方法や、圧電セラミック層７の表面の全面に、被膜を成膜後、前記被膜の、個別電極８に対応する領域のみを、エッチングマスクで被覆し、それ以外の領域を露出させた状態で、露出させた領域の被膜を、選択的にエッチングして除去する方法等が挙げられる。また、導電性ペーストからなる塗膜の場合は、前記導電性ペーストを、スクリーン印刷法等の印刷方法によって、圧電セラミック層７の表面に、直接に、パターン形成すればよい。
【００２５】
圧電セラミックからなる圧電セラミック層７や振動板１０は、焼成によって、先に説明した圧電セラミックとなる化合物を含むグリーンシートを、所定の平面形状に形成後、焼成して形成することができる。特に、圧電セラミック層７と振動板１０が、共に、圧電セラミックによって形成される場合は、それぞれの層のもとになるグリーンシートの間に、焼成によって、共通電極９となる導電性ペーストの層を挟んだ積層体を作製し、前記積層体を、一度に焼成することで、圧電セラミック層７と、共通電極９と、振動板１０とが積層された積層体を得ることができる。
【００２６】
前記積層体の、圧電セラミック層７の表面に、先に説明した方法で、個別電極８をパターン形成すれば、圧電アクチュエータ６が形成される。そして、前記圧電アクチュエータ６を、基板５の、圧力室２を形成した側の面上に、接着剤を用いて接着する等して固定することで、インクジェットプリンタのヘッドが構成される。接着剤としては、前記ヘッドに要求される耐熱性や、インクに対する耐性等を考慮すると、熱硬化温度が１００〜２５０℃であるエポキシ樹脂系、フェノール樹脂系、ポリフェニレンエーテル樹脂系等の、熱硬化性樹脂系の接着剤が好ましい。
【００２７】
薄板状の圧電セラミック層７を、横振動モードとするためには、圧電セラミックの分極方向を、前記圧電セラミック層７の厚み方向、例えば、個別電極８から共通電極９に向かう方向に配向させる。そのためには、例えば、高温分極法、室温分極法、交流電界重畳法、電界冷却法等の分極方法が採用される。
【００２８】
図２は、図１の圧電アクチュエータユニット１を構成する駆動回路１３のうち、圧電アクチュエータ６の、１つの圧電変形領域１１に対応する部分を取り出して示す回路図である。図２を参照して、駆動回路１３は、全ての圧電変形領域１１に共通する部分として、１つの電源１６と、前記電源１６の一方の出力端からグランド１７に接続された１つの第１回路１８と、電源１６の他方の出力端から共通電極９に接続された１つの第２回路１９とを備えている。
【００２９】
また、駆動回路１３は、前記第１回路１８の途中から分岐して、スイッチング素子２０を介して個別電極８に接続された第３回路２１と、第２回路１９の途中から分岐して、前記スイッチング素子２０に接続された第４回路２２とを、各圧電変形領域１１ごとに、圧電変形領域１１の数だけ備えている。スイッチング素子２０は、各圧電変形領域１１に対応する個別電極８を、第３回路２１を介して第１回路１８に接続するか、第４回路２２を介して第２回路１９に接続するかを、切り替えるためのもので、切り替えは、インクジェットプリンタの制御ユニット１４から駆動回路１３に入力される制御信号に基づいて、各圧電変形領域１１ごとに、個別に行われる。
【００３０】
すなわち、インク滴を吐出させるノズル３に対応した圧電変形領域１１では、スイッチング素子２０が、個別電極８を、第３回路２１を介して第１回路１８に接続する方向に切り替えられる。そのため、個別電極８は、前記第３回路２１、および第１回路１８を介してグランド１７と同電位になるように接続される。また、インク滴を吐出させないノズル３に対応した圧電変形領域１１では、スイッチング素子２０が、個別電極８を、第４回路２２を介して第２回路１９に接続する方向に切り替えられる。そのため、個別電極８は、前記第４回路２２および第２回路１９を介して、共通電極９と同電位になるように接続される。
【００３１】
この状態で、電源１６から、先に説明した駆動電圧波形を有する電圧が印加されると、個別電極８がグランド１７と同電位になるように接続された圧電変形領域１１では、前記電圧が共通電極９に印加されることで、両電極８、９の間に電位差が生じる。そして、前記電位差に基づく電圧の印加方向が、順方向、すなわち、圧電セラミック層７の分極方向と同方向の電圧である場合は、前記活性領域１５が、層の面方向に収縮する。しかし、圧電セラミック層７の下面は、共通電極９を介して振動板１０に固定されているため、前記活性領域１５が収縮すると、それに伴って、圧電変形領域１１が、振動板１０を積層した面を、圧力室２の方向に突出させるように撓み変形する。
【００３２】
また、電圧の印加方向が、分極方向と逆方向である場合は、前記活性領域１５が、逆に、層の面方向に伸長するため、圧電変形領域１１が、振動板１０を積層した面と反対面を、圧力室２の方向と反対方向に突出させるように撓み変形する。さらに、電圧の印加が停止された状態では、活性領域１５の、面方向の伸縮が解除されることから、圧電変形領域１１は、撓み変形が解除された、元の平板状の状態に復帰する。
【００３３】
そのため、電源１６から、共通電極９に、順方向の電圧の印加と停止とを繰り返す駆動電圧波形や、順方向と逆方向の電圧を交互に印加する駆動電圧波形を有する電圧を印加して、圧電アクチュエータ６の圧電変形領域１１を、圧電アクチュエータ６の厚み方向に振動させると、前記振動によって、対応する圧力室２の容積が増減されて、前記圧力室２内のインクが振動する。そして、前記振動が、連通路４内のインクを通してノズル３に伝えられて、前記ノズル３内に形成されるインクのメニスカスが振動し、この振動に伴って、メニスカスを形成するインクの一部が、インク滴として分離されて、ノズル３から吐出される。
【００３４】
一方、個別電極８が共通電極９と同電位になるように接続された圧電変形領域１１では、電源１６から、前記共通電極９に電圧が印加されても、両電極８、９の間に電位差が生じないため、圧電アクチュエータ６の圧電変形領域１１は、静止状態を維持しており、ノズル３から、インク滴は吐出されない。そのため、従来同様に、圧電アクチュエータ６の任意の圧電変形領域１１を駆動させて、前記圧電変形領域１１に対応するノズルからインク滴を吐出させることで、ノズルと対向させて配設された紙面に、任意の画像を形成することができる。
【００３５】
しかも、圧電変形領域１１を駆動させる電圧は、複数の活性領域１５を包含する大きさを有する大きな共通電極９を介して、前記活性領域１５に印加されるため、順方向の電圧の印加によって、前記活性領域１５に充電された電荷を、次の、順方向の電圧が印加されるまでの間の、電圧の印加を停止するか、または、逆方向の電圧を印加した状態において、より速やかに放電させることができ、前記活性領域１５に電荷が蓄積されるのを抑制することができる。
【００３６】
そのため、圧電アクチュエータ６の圧電変形領域１１の、厚み方向の撓み変形の変位量が、経時的に、大きく低下するのを防止して、長期間に亘って、十分な変位量を維持することが可能となる。また、グランド１７に接続しない個別電極８は、スイッチング素子２０を介して共通電極９に接続して、前記共通電極９に電圧が印加された際に、個別電極８との間で電位差が生じるのを防止しているため、前記個別電極８に対応する圧電変形領域１１が誤動作するのを、確実に防止することもできる。
【実施例】
【００３７】
〈ヘッドの作製〉
圧電セラミック材料としてのＰＺＴの粉末（純度９９．９％以上）を、直径φ２ｍｍのジルコニアボールを用いてミル粉砕して、平均粒子径が０．３〜０．５μｍとなるように調整し、乾燥後、メッシュパスして原料粉末を得、前記原料粉末を成形して、圧電セラミック層７、振動板１０のもとになる２枚のグリーンシートを作製した。
【００３８】
次に、図１を参照して、共通電極９のもとになる導電ペーストを、１枚のグリーンシートの表面に、厚み４μｍとなるように印刷し、その上に、もう１枚のグリーンシートを積層して、加圧プレスした後、焼成して、圧電セラミック層７と、共通電極９と、振動板１０の積層体を得た。そして、前記積層体のうち、圧電セラミック層７の表面に、スクリーン印刷法によって、Ａｕペーストを、個別電極８の平面形状に対応した形状に印刷した後、全体を、大気中で、８００〜９００℃で焼付けて、個別電極８を形成することで、圧電アクチュエータ６を得た。
【００３９】
次に、前記圧電アクチュエータ６を、個別電極８が、圧力室２に対応する位置に配置されるように位置合わせをした状態で、基板５上に、エポキシ系接着剤の層を介して積層した後、１５０℃、４時間の加熱処理を行ってエポキシ系接着剤を硬化させることで接着して、インクジェットプリンタ用のヘッドを作製した。基板５としては、圧延法によって得られたＳＵＳ３１６鋼製の薄板に、エッチングによって、圧力室２、ノズル３、連通路４等を、前記基板５の厚み方向にスライスした形状を有する通孔を形成した複数種の薄板を、順に、エポキシ系接着剤の層を介して積層し、エポキシ系接着剤を硬化させて、接着したものを用いた。
【００４０】
次に、製造したヘッドの圧電セラミック層７を、高温分極法によって分極させた後、個別電極８と共通電極９に、図２に示した回路部分を有する駆動回路１３を接続し、圧電アクチュエータ６上の任意の圧電変形領域１１に対応する個別電極８に接続された、前記駆動回路１３のスイッチング素子２０を、前記個別電極８をグランド１７と同電位になるように接続する方向に切り替えた状態とした。
【００４１】
そして、室温（５〜３５℃）で、共通電極９に、±１．８３ｋＶ／ｃｍ、周波数１ｋＨｚの駆動電圧波形を有する電圧を印加して、圧電変形領域１１を１億サイクルに亘って振動させた際の、前記圧電変形領域１１の、面方向の中心位置の変位量を、レーザードップラー法によって測定し、連続駆動前の初期値に対する、変位量の低下率（％）を求めた。これを実施例とした。
【００４２】
また、比較のため、前記ヘッドの共通電極９をグランドと同電位になるように接続し、個別電極８に、同じ駆動電圧波形を有する電圧を印加して、圧電変形領域１１を１億サイクルに亘って振動させた際の、変位量の低下率（％）を、比較例として求めた。実施例、比較例の結果を、図３に示す。図より、本発明によれば、従来に比べて、圧電変形領域１１の、厚み方向の撓み変形の変位量が、経時的に、大きく低下するのを防止して、長期間に亘って、十分な変位量を維持できることが確認された。
【図面の簡単な説明】
【００４３】
【図１】本発明の圧電アクチュエータユニットの一例を、インクジェットプリンタのヘッドに、駆動源として組み込んだ例を示す断面図である。
【図２】図１の圧電アクチュエータユニットを構成する駆動回路のうち、圧電アクチュエータの、１つの圧電変形領域に対応する部分を取り出して示す回路図である。
【図３】本発明の実施例、比較例で測定した、圧電変形領域の、厚み方向の撓み変形の変位量の、低下率の推移を示すグラフである。
【符号の説明】
【００４４】
１     圧電アクチュエータユニット
２     圧力室
３     ノズル
４     連通路
５     基板
６     圧電アクチュエータ
７     圧電セラミック層
８     個別電極
９     共通電極
１０   振動板
１１   圧電変形領域
１２   拘束領域
１３   駆動回路
１４   制御ユニット
１５   活性領域
１６   電源
１７   グランド
１８   回路
１９   回路
２０   スイッチング素子
２１   回路
２２   回路
【図１】
0004847180.tif 000002
【図２】
0004847180.tif 000003
【図３】
0004847180.tif 000004